【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
複数のチャネルタップを有する第１のチャネルインパルス応答推定値（ＣＩＲＥ）を導き出し、チャネルプロフィールを確認し、前記チャネルプロフィールに基づいてしきい値パラメータ値を選択し、前記複数のチャネルタップのうちの選択されたチャネルタップを前記しきい値パラメータ値に基づいてゼロにすることによって第２のＣＩＲＥを導き出すように構成された少なくとも１つのプロセッサと、
前記少なくとも１つのプロセッサに結合されたメモリと、を具備し、
前記少なくとも１つのプロセッサは、パケットが誤って復号されたかどうかを確認し、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すように構成されている装置。
【請求項２】
前記少なくとも１つのプロセッサは、前記複数のチャネルタップ及び前記しきい値パラメータ値に基づいてしきい値を導き出し、前記しきい値よりも小さいエネルギーを有するチャネルタップをゼロにすることによって前記第２のＣＩＲＥを導き出す請求項１に記載の装置。
【請求項３】
前記少なくとも１つのプロセッサは、前記複数のチャネルタップの平均エネルギーを決定し、前記平均エネルギー及び前記しきい値パラメータ値に基づいてしきい値を導き出し、前記しきい値よりも小さいエネルギーを有するチャネルタップをゼロにすることによって前記第２のＣＩＲＥを導き出す請求項１に記載の装置。
【請求項４】
前記少なくとも１つのプロセッサは、動作信号・雑音比（ＳＮＲ）を確認し、前記動作ＳＮＲに基づいて前記しきい値パラメータ値を選択する請求項１に記載の装置。
【請求項５】
前記少なくとも１つのプロセッサは、前記第１のＣＩＲＥに関するチャネルタップ数に基づいて前記しきい値パラメータ値を選択する請求項１に記載の装置。
【請求項６】
チャネルに関する、複数のチャネルタップを有する第１のチャネルインパルス応答推定値（ＣＩＲＥ）を導き出し、少なくとも１つの基準に基づいてしきい値パラメータ値を選択し、前記複数のチャネルタップのうちの選択されたチャネルタップを前記しきい値パラメータ値に基づいてゼロにすることによって第２のＣＩＲＥを導き出し、パケットが誤って復号されたかどうかを確認し、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すように構成された少なくとも１つのプロセッサと、
前記少なくとも１つのプロセッサに結合されたメモリと、を具備する装置。
【請求項７】
前記少なくとも１つのプロセッサは、パケットが正確に復号されるまで又は終了条件に出会うまで、異なるしきい値パラメータ値を選択して前記第１のＣＩＲＥ及び前記異なるしきい値パラメータ値に基づいて異なる第２のＣＩＲＥを導き出す請求項１に記載の装置。
【請求項８】
チャネルに関する、複数のチャネルタップを有する第１のチャネルインパルス応答推定値（ＣＩＲＥ）を導き出し、しきい値パラメータ値を選択し、前記複数のチャネルタップのうちの選択されたチャネルタップを前記しきい値パラメータ値に基づいてゼロにすることによって第２のＣＩＲＥを導き出すように、構成された少なくとも１つのプロセッサと、
前記少なくとも１つのプロセッサに結合されたメモリと、を具備し、
ここにおいて前記メモリは、異なる動作シナリオに関するしきい値パラメータ値のテーブルを格納し、およびここにおいて前記少なくとも１つのプロセッサは、前記テーブルから前記しきい値パラメータ値を動作シナリオに基づいて選択するように構成され、
前記少なくとも１つのプロセッサは、パケットが誤って復号されたかどうかを確認し、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すように構成されている装置。
【請求項９】
前記少なくとも１つのプロセッサは、パイロット送信のために用いられるサブバンドに関する受信されたパイロットサブバンドを入手し、前記受信されたパイロットシンボルに基づいて前記第１のＣＩＲＥを導き出す請求項１に記載の装置。
【請求項１０】
前記少なくとも１つのプロセッサは、パイロット送信のために用いられるサブバンドに関する実施されたパイロットシンボルを入手し、ゼロにされたパイロットサブバンドに関するゼロシンボルを提供し、前記受信されたパイロットシンボル及び前記ゼロシンボルに基づいて前記第１のＣＩＲＥを導き出す請求項１に記載の装置。
【請求項１１】
前記少なくとも１つのプロセッサは、最小二乗法、最小平均二乗誤差(MMSE)法、ロバストMMSE法、又はゼロフォーシング法に基づいて前記第１のＣＩＲＥを導き出す請求項１に記載の装置。
【請求項１２】
複数のシンボル期間に関する最初の複数のチャンネルインパルス応答推定値（ＣＩＲＥｓ）を受信されたパイロットに基づいて導き出し、前記最初のＣＩＲＥｓをフィルタリングすることによって複数のチャネルタップを有する前記第１のＣＩＲＥを導き出し、少なくとも１つの基準に基づいてしきい値パラメータ値を選択し、前記複数のチャネルタップのうちの選択されたチャネルタップを前記しきい値パラメータ値に基づいてゼロにすることによって第２のＣＩＲＥを導き出すように、構成された少なくとも1つのプロセッサと、
前記少なくとも１つのプロセッサに結合されたメモリと、を具備し、
前記少なくとも１つのプロセッサは、パケットが誤って復号されたかどうかを確認し、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すように構成されている装置。
【請求項１３】
前記複数のシンボル期間は、現在のシンボル期間、少なくとも１つの前のシンボル期間、及び少なくとも１つの将来のシンボル期間を具備する、請求項１２に記載の装置。
【請求項１４】
前記複数のシンボル期間は、現在のシンボル期間及び少なくとも１つの前のシンボル期間を具備する、請求項１２に記載の装置。
【請求項１５】
前記複数のシンボル期間は、現在のシンボル期間及び少なくとも１つの将来のシンボル期間を具備する、請求項１２に記載の装置。
【請求項１６】
チャンネルに関する、複数のチャネルタップを有する第１のチャネルインパルス応答推定値（ＣＩＲＥ）を導き出すことと、
少なくとも１つの基準に基づいてしきい値パラメータ値を選択することと、
前記複数のチャネルタップのうちの選択されたチャネルタップを前記しきい値パラメータ値に基づいてゼロにすることによって第２のＣＩＲＥを導き出すことと、
前記しきい値パラメータ値を前記選択することは、チャネルプロフィールに基づいて前記しきい値パラメータ値を選択することと、を具備し、
パケットが誤って復号されたかどうかを確認することであって、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すこと、をさらに具備する方法。
【請求項１７】
前記複数のチャネルタップの平均エネルギーを決定することと、
前記平均エネルギー及び前記しきい値パラメータ値に基づいてしきい値を導き出すこと、とをさらに具備し、前記第２のＣＩＲＥを前記導き出すことは、前記しきい値よりも小さいエネルギーを有するチャネルタップをゼロにすることによって前記第２のＣＩＲＥを導き出すことを具備する請求項１６に記載の方法。
【請求項１８】
チャンネルに関する、複数のチャネルタップを有する第１のチャネルインパルス応答推定値（ＣＩＲＥ）を導き出すことと、
少なくとも１つの基準に基づいてしきい値パラメータ値を選択することと、
前記複数のチャネルタップのうちの選択されたチャネルタップを前記しきい値パラメータ値に基づいてゼロにすることによって第２のＣＩＲＥを導き出すことを具備し、
ここにおいて前記しきい値パラメータ値を前記選択することは、前記第１のＣＩＲＥに関するチャネルタップ数に基づいて前記しきい値パラメータ値を選択することを具備し、
パケットが誤って復号されたかどうかを確認することであって、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すこと、をさらに具備する方法。
【請求項１９】
複数のシンボル期間に関する最初のＣＩＲＥを受信されたパイロットに基づいて導き出すことをさらに具備し、前記第１のＣＩＲＥを前記導き出すことは、前記最初のＣＩＲＥをフィルタリングして前記第１のＣＩＲＥを得る請求項１６に記載の方法。
【請求項２０】
複数のチャネルタップを有する第１のチャネルインパルス応答推定値（ＣＩＲＥ）を導き出すための手段と、
少なくとも１つの基準に基づいてしきい値パラメータ値を選択するための手段と、
前記複数のチャネルタップのうちの選択されたチャネルタップを前記しきい値パラメータ値に基づいてゼロにすることによって第２のＣＩＲＥを導き出すための手段を具備する装置、
ここにおいて前記しきい値パラメータ値を選択するための前記手段は、チャネルプロフィールに基づいて前記しきい値パラメータ値を選択するための手段を具備し、
パケットが誤って復号されたかどうかを確認するための手段と、
前記パケットが誤って復号された場合は新しいしきい値パラメータ値を選択するための手段と、
前記パケットが誤って復号された場合は、前記複数のチャネルタップのうちの選択されたチャネルタップを前記新しいしきい値パラメータ値に基づいてゼロにすることによって新しい第２のＣＩＲＥを導き出すための手段と、をさらに具備する装置。
【請求項２１】
前記複数のチャネルタップの平均エネルギーを決定するための手段と、
前記平均エネルギー及び前記しきい値パラメータ値に基づいてしきい値を導き出すための手段と、をさらに具備し、前記第２のＣＩＲＥを導き出すための前記手段は、前記しきい値よりも小さいエネルギーを有するチャネルタップをゼロにすることによって前記第２のＣＩＲＥを導き出すための手段を具備する請求項２０に記載の装置。
【請求項２２】
複数のチャネルタップを有する第１のチャネルインパルス応答推定値（ＣＩＲＥ）を導き出すための手段と、
少なくとも１つの基準に基づいてしきい値パラメータ値を選択するための手段と、
前記複数のチャネルタップのうちの選択されたチャネルタップを前記しきい値パラメータ値に基づいてゼロにすることによって第２のＣＩＲＥを導き出すための手段と、を具備し、
ここにおいて前記しきい値パラメータ値を選択するための前記手段は、前記第１のＣＩＲＥに関するチャネルタップ数に基づいて前記しきい値パラメータ値を選択するための手段を具備し、
パケットが誤って復号されたかどうかを確認するための手段と、
前記パケットが誤って復号された場合は新しいしきい値パラメータ値を選択するための
手段と、
前記パケットが誤って復号された場合は、前記複数のチャネルタップのうちの選択され
たチャネルタップを前記新しいしきい値パラメータ値に基づいてゼロにすることによって
新しい第２のＣＩＲＥを導き出すための手段と、をさらに具備する請求項２０に記載の装置。
【請求項２３】
複数のシンボル期間に関する最初のＣＩＲＥを受信されたパイロットに基づいて導き出すための手段をさらに具備し、前記第１のＣＩＲＥを導き出すための前記手段は、前記最初のＣＩＲＥをフィルタリングして前記第１のＣＩＲＥを得るための手段を具備する請求項２０に記載の装置。
【請求項２４】
複数のチャネルタップを有する第１のチャネルインパルス応答推定値（ＣＩＲＥ）を導き出し、少なくとも１つの基準に基づいてしきい値パラメータ値を選択し、ここにおいて前記少なくとも１つの基準は受信されたデータの符号化率を具備し、および前記複数のチャネルタップのうちの選択されたチャネルタップを前記しきい値パラメータ値に基づいてゼロにすることによって第２のＣＩＲＥを導き出すように構成された少なくとも１つのプロセッサと、
前記少なくとも１つのプロセッサに結合されたメモリと、を具備し、
前記少なくとも１つのプロセッサは、パケットが誤って復号されたかどうかを確認し、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すように構成されている装置。
【請求項２５】
前記しきい値パラメータ値は、前記符号化率と逆に変化する、請求項２４に記載の装置。
【請求項２６】
複数のチャネルタップを有する第１のチャネルインパルス応答推定値（ＣＩＲＥ）を導き出し、少なくとも１つの基準に基づいてしきい値パラメータ値を選択し、ここにおいて前記少なくとも１つの基準は受信されたデータの変調方式を具備し、および前記複数のチャネルタップのうちの選択されたチャネルタップを前記しきい値パラメータ値に基づいてゼロにすることによって第２のＣＩＲＥを導き出すように、構成された少なくとも１つのプロセッサと、
前記少なくとも１つのプロセッサに結合されたメモリと、を具備し、
前記少なくとも１つのプロセッサは、パケットが誤って復号されたかどうかを確認し、前記パケットが誤って復号された場合は、新しいしきい値パラメータ値を選択し、前記複数のチャネルタップのうちの選択されたチャネルタップを前記新しいしきい値パラメータ値に基づいてゼロにすることによって新しい第２のＣＩＲＥを導き出すように構成されている装置。
【請求項２７】
前記しきい値パラメータ値は、前記変調方式の配置点の数と逆に変化する、請求項２６に記載の装置。